【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
第１表面および第２表面を有する基板、ならびに
前記基板と接触状態にあるアルカリ金属
を含むデバイスであって、
前記アルカリ金属はナトリウムおよびカリウムから選択されており、
前記アルカリ金属は、前記基板が表面の接触で前記アルカリ金属を前記アルカリ金属と前記表面との接触点で水と接触させたときに、インシチュで熱量を発生させるのに十分な量で存在している、デバイス。
【請求項２】
前記基板の前記第１表面は第１平面であり、
前記基板の前記第２表面は反対の平面である、請求項１に記載のデバイス。
【請求項３】
前記第１平面は、熱を受け取る表面と接触する接触表面または遠位表面である、請求項２に記載のデバイス。
【請求項４】
前記反対の平面は、前記アルカリ金属が接触状態にある近位表面である、請求項２に記載のデバイス。
【請求項５】
前記アルカリ金属は、前記基板に埋め込まれているか、または前記基板と一体となっている、請求項１〜４のいずれかに記載のデバイス。
【請求項６】
前記アルカリ金属は、前記基板上、層を形成している、請求項１〜５のいずれかに記載のデバイス。
【請求項７】
前記アルカリ金属は、前記基板上、不連続層を形成している、請求項６に記載のデバイス。
【請求項８】
前記アルカリ金属は、前記基板の前記第２表面上、前記層または前記不連続層を形成している、請求項６または７に記載のデバイス。
【請求項９】
前記アルカリ金属は、前記基板の一部と接触状態にある、請求項１〜８のいずれかに記載のデバイス。
【請求項１０】
前記基板は開口領域を有するメッシュであり、
前記アルカリ金属は前記開口領域の一部に埋め込まれている、請求項１〜９のいずれかに記載のデバイス。
【請求項１１】
前記発生する熱量は前記アルカリ金属の量またはモル数により制限されている、請求項１〜９のいずれかに記載のデバイス。
【請求項１２】
前記発生する熱量は前記接触部位での水の量またはモル数により制限されている、請求項１〜１１のいずれかに記載のデバイス。
【請求項１３】
前記発生する熱量は前記接触部位に存在する水のモル数に比例する、請求項１〜１２のいずれかに記載のデバイス。
【請求項１４】
前記発生する熱は前記接触部位での水の量またはモル数により制限されている、請求項１〜１２のいずれかに記載のデバイス。
【請求項１５】
前記発生する熱は前記接触部位での水の量またはモル数に比例する、請求項１〜１２のいずれかに記載のデバイス。
【請求項１６】
前記熱量は前記接触部位においてインシチュで発生し、かつ接触部位に存在する水のモル数に比例する、請求項１〜１５のいずれかに記載のデバイス。
【請求項１７】
前記アルカリ金属は純粋ナトリウムである、請求項１〜１６のいずれかに記載のデバイス。
【請求項１８】
前記アルカリ金属は、ナトリウム合金またはカリウム合金である、請求項１〜１６のいずれかに記載のデバイス。
【請求項１９】
前記アルカリ金属はナトリウム／カリウム合金である、請求項１８に記載のデバイス。
【請求項２０】
前記アルカリ金属はカリウムの酸化物またはナトリウムの酸化物である、請求項１〜１６のいずれかに記載のデバイス。
【請求項２１】
前記基板はペーストである、請求項１〜２０のいずれかに記載のデバイス。
【請求項２２】
前記基板は無水アルミニウム含有ペーストである、請求項２１に記載のデバイス。
【請求項２３】
前記基板は金属基板または金属合金基板である、請求項１〜２２のいずれかに記載のデバイス。
【請求項２４】
前記金属基板はステンレス鋼メッシュである、請求項２３に記載のデバイス。
【請求項２５】
前記基板は織物基板である、請求項１〜２４のいずれかに記載のデバイス。
【請求項２６】
前記基板は不透水性層を有している、請求項１〜２５のいずれかに記載のデバイス。
【請求項２７】
請求項１〜２６のいずれかに記載のデバイス；
溶剤を含むワイプ；および
使用説明書
を含むキット。
【請求項２８】
前記溶剤がイソプロピルアルコールである、請求項２７に記載のキット。
【請求項２９】
ガーゼをさらに含む、請求項２７または２８に記載のキット。
【請求項３０】
基板ならびにナトリウムおよびカリウムから選択されるある量のアルカリ金属を含む、疾患の治療のためのデバイスであって、
該デバイスは、接触部位で適用され、疾患の治療に十分な量の熱をインシチュで発生させる、デバイス。
【請求項３１】
前記疾患は多汗症である、請求項３０に記載のデバイス。
【請求項３２】
前記疾患は感覚的発汗過多症である、請求項３０に記載のデバイス。
【請求項３３】
前記疾患は創傷である、請求項３０に記載のデバイス。
【請求項３４】
前記疾患は季節性アレルギーまたは感覚的季節性アレルギー、季節性アレルギーに関連する症状である、請求項３０に記載のデバイス。
【請求項３５】
前記症状は鼻水である、請求項３４に記載のデバイス。
【請求項３６】
基板ならびにナトリウムおよびカリウムから選択されるある量のアルカリ金属を含む、発汗過多症の治療のためのデバイスであって、
該デバイスは、対象者の皮膚の接触部位と接触し、疾患の治療に十分な量の熱をインシチュで発生させる、デバイス。
【請求項３７】
前記発汗過多症は多汗症に関連する、請求項３６に記載のデバイス。
【請求項３８】
前記疾患は中等度から重度の多汗症である、請求項３６に記載のデバイス。
【請求項３９】
前記発汗過多症は感覚的発汗過多症である、請求項３６に記載のデバイス。
【請求項４０】
前記対象者は男性対象者である、請求項３６〜３９のいずれかに記載のデバイス。
【請求項４１】
前記接触部位は脇の下である、請求項３６〜４０のいずれかに記載のデバイス。
【請求項４２】
前記接触部位は、手の平、足の裏、顔、背中、胸部または腹部から選択される対象者の部位である、請求項３６〜４０のいずれかに記載のデバイス。
【請求項４３】
約１ヶ月の期間のあいだ、１週間に１回の前記接触を行う、請求項３６〜４２のいずれかに記載のデバイス。
【請求項４４】
約１ヶ月〜約１２ヶ月の期間のあいだ、１週間に１回の前記接触を行う、請求項３６〜４２のいずれかに記載のデバイス。
【請求項４５】
前記接触は、患者の主観的な評価によれば、汗の生成の一時的な低減をもたらす、請求項３６〜４４のいずれかに記載のデバイス。
【請求項４６】
基板ならびにナトリウムおよびカリウムから選択されるある量のアルカリ金属を含む、創傷の治療のためのデバイスであって、
該デバイスは、対象者の皮膚の接触部位と接触し、創傷の治療に十分な量の熱をインシチュで発生させる、デバイス。
【請求項４７】
前記創傷は外科的処置に関連する皮下創である、請求項４６に記載のデバイス。
【請求項４８】
前記接触により接触点で皮膚を焼灼し、前記創傷をシールする、請求項４６または４７に記載のデバイス。
【請求項４９】
前記接触により接触点を滅菌する、請求項４６〜４８のいずれかに記載のデバイス。
【請求項５０】
前記デバイスにさらされた傷付いた皮膚／損傷した皮膚に隣接する無傷の皮膚は前記治療により視覚的に変化しない、請求項４６〜４９のいずれかに記載のデバイス。
【請求項５１】
基板ならびにナトリウムおよびカリウムから選択されるある量のアルカリ金属を含む、季節性アレルギーまたは感覚的季節性アレルギーに関連する症状の減衰または治療のためのデバイスであって、
該デバイスは、対象者の鼻腔組織の接触部位と接触し、鼻腔組織の治療および症状の減衰に十分な量の熱をインシチュで発生させる、デバイス。
【請求項５２】
前記症状が鼻水である、請求項５１に記載のデバイス。